(57)【特許請求の範囲】
【請求項１】
パレット上に積載した被包装物にストレッチフィルムをスパイラル状に巻き付けて包装して一体化した包装体を、その一側面で前記フィルムを上下方向に切断して開梱するストレッチ包装体の開梱機に用いるフィルム切断ユニットであって、前記フィルムを表裏から挟持する２対の挟持ローラーと、これら２対の挟持ローラーの間に取付けられた前記フィルムを切断するカッターからなり、前記２対の挟持ローラーの内、表面からフィルムを押える側のローラー２本にフィルムをヒートシールするためのヒーターを組込み、かつ該ヒーターの表面を耐熱性プラスチックテープで複数箇所被覆することにより、低温で加熱する被覆箇所とより高温で加熱する非被覆箇所を交互に設けたことを特徴とするストレッチ包装体の開梱機用切断ユニット。
【発明の詳細な説明】
【０００１】
【産業上の利用分野】
本発明はストレッチ包装体の開梱機用切断ユニットに関し、より詳しくはパレット上に積載した被包装物の側面に非粘着性ストレッチフィルムをスパイラル状に巻付けて包装したストレッチ包装体の一側面で前記フィルムを上下方向に切断し、該フィルムを左右に開扉して開梱するストレッチ包装体の開梱機に用いる改良されたフィルム切断ユニットに関する。
【０００２】
【従来の技術】
従来、ストレッチ包装体の開梱機については、本出願人の出願に係る特開平４−２５３６２６号公報及び特願平４−１８８９３５号明細書記載の提案がなされている。
たとえば、前記特願平４−１８８９３５号明細書の装置は、非粘着性フィルムを使用したときにストレッチ包装体上の複数層のフィルムが一体化されていないため、開梱後、使用済フィルムを排出する集束工程において、単層のフィルムに分離してしまって連続作業に支障をきたすことのないように、図３及び図４に示すとおり切断ユニットの二対の挟持ローラーの内、フィルム５をその表面から押える２本のローラー３ｂにヒートシール用ヒーターを組込んで熱線ナイフ２によるストレッチ・フィルム５の切断線の両側を実質的に連続線状にヒートシールして複数層のフィルムを一体化させるものである。
【０００３】
そのために該装置では、フィルムを外側から挟持する挟持ローラー３ｂには、複数のナイロンディスクを組合せて凸部６ａと凹部６ｂを形成し、凸部６ａにはニクロム線４を配置し、その上を耐熱性プラスチックテープ（例えばポリテトラフルオロエチレン（ＰＴＦＥ）製テープ）９で覆い、また、凹部６ｂには前記ニクロム線４に給電するためのスリップリング７を配し、該ローラーの下側には前記スリップリング７に接する給電子８が取付けられている。また、フィルムをその内側から挟持する挟持ローラー３ａも、３ｂ同様のナイロンローラーとし、その表面にシリコンラバーの層を設け、その上を耐熱性プラスチックテープ（ＰＴＦＥ製テープ）９で被覆した構成が開示されている。
【０００４】
【発明が解決しようとする課題】
しかしながら、図３及び図４に示す切断ユニットは非粘着フィルムを用いて包装したフルウェッブ式のストレッチ包装体については上記した効果が得られるが、非粘着フィルムを用い、かつスパイラル式のストレッチ包装した包装体では次のような問題が発生した。
すなわち、ストレッチフィルムの厚さは一般に２０〜２５ミクロンとほぼ一定であるが、スパイラル式包装では包装体の部分によって巻数が異なるため、ニクロム線の設定温度によってはある部分ではフィルムの合計厚みが厚過ぎて前記した構造のヒートシーラーでは充分接着せず、又より高く設定された温度ではある部分ではフィルムの合計厚みが薄過ぎて溶断され穴があいてしまうということがあった。
【０００５】
本発明はかかる事情に鑑みなされたもので、その課題は非粘着性ストレッチフィルムでスパイラル式に包装したストレッチ包装体の一側面で該包装体に巻付けたストレッチフィルムを切断線の両側でヒートシール線全長にわたり均一なシールはできないとしても、被包装物から除去した使用済フィルムが支障なく収束して排出される程度に、少なくとも断続的に複数層のフィルムを確実にヒートシールできるヒートシーラーを具えたストレッチ包装体の開梱機用切断ユニットを提供することにある。
【０００６】
【課題を解決するための手段】
前記課題を解決するため、本発明のストレッチ包装体の開梱機用切断ユニットは、パレット上に積載した被包装物をストレッチフィルムで包装して一体化した包装体を、その一側面で前記フィルムを上下方向に切断し（該フィルムを開扉し）て開梱するストレッチ包装体の開梱機に用いるフィルム切断ユニットであって、前記フィルムを表裏から挟持する２対の挟持ローラーと、これら２対の挟持ローラーの間に取付けられた前記フィルムを切断するカッターからなり、前記２対の挟持ローラーの内、表面からフィルムを押さえる側のローラー２本にフィルムをヒートシールするためのヒーターを組込み、かつ該ヒーターの表面を適当な間隔をおいて、耐熱性プラスチックテープ（例えば、ＰＴＦＥテープ）で複数個所被覆することにより、被覆個所と非被覆個所を交互に適当な長さで設けたことを特徴とする。
【０００７】
【作用】
本発明のストレッチ包装体の開梱機用切断ユニットは前記構成によって、ストレッチ包装体の周囲にスパイラル状に巻付けられたフィルムをその一側面で上下方向に切断する際、その切断線の両側でフィルムの巻数が多い部分（例えば３〜４層巻かれている部分）では、挟持ローラー上のヒーターで耐熱性プラスチックテープで被覆されている個所を介して加熱されても不完全にしか接着されない代りに、非被覆個所が当接されれば概ね良好な接着が得られ、一方フィルムの巻数が少ない部分（例えば、１〜２層しか巻かれていない部分）では、前記非被覆個所によって加熱されると、過熱されて穴があく代りに、被覆個所で加熱されると概ね良好な接着が得られ、全体として断続的ではあるが、複数層の非粘着フィルムを確実にシートシールして接着するという作用を有する。
【０００８】
【実施例】
以下、図面を参照して、本発明の一実施例について詳細に説明するが、本発明はこれに限定されるものではない。
図１は本実施例のストレッチ包装体の開梱機用切断ユニットの側面図、図２はその平面図である。
図中の符号１は切断ユニットのフレーム、２は熱線ナイフ、３ａ，３ｂは挟持ローラー、４はニクロム線、５はフィルム、６ａは挟持ローラーの凸部、６ｂはその凹部、７はスリップリング、８は給電子、９は耐熱性プラスチックテープ、１０は駆動モーターである。
【０００９】
本発明の切断ユニットは、例えば、特開平４−２５３６２６号公報や特開平４−１８８９３５号明細書に開示されているストレッチ包装体の開梱装置の切断ユニットの代りに同装置の前方支柱に取付けられ、該前方支柱に沿って上昇するとき、フィルムを切断するものである。
【００１０】
本発明の切断ユニットはそのフレーム１上に回転可能に取付けられている２対の挟持ローラーの内、フィルム５をその表面から押える２本のローラー３ｂにヒートシール用ニクロム線４を組込むことにより、熱線ナイフによるストレッチフィルム５の切断線の両側をヒートシールして複数層のフィルムを一体化させるため、フィルム５を外側から挟持する挟持ローラー３ｂは複数のナイロンディスクを組合せて凸部６ａと凹部６ｂを形成し、凸部６ａには前記ニクロム線４を配し、又凹部６ｂにはニクロム線４に給電するためのスリップリング７を配し、挟持ローラー３ｂの下側には前記スリップリング７に接する給電子８を取付け、又、フィルム５を内側から挟持する挟持ローラー３ａも、３ｂと同様、ナイロン・ローラーとし、その表面にシリコンラバーの層を設け、その上を耐熱性プラスチックテープ、例えばＰＴＦＥ製テープで覆っている。以上の構成は前記特願平４−１８８９３５号明細書に開示されている切断ユニットの構成と共通している。
【００１１】
本発明の特徴は、前記両先願明細書に開示されている切断ユニットではニクロム線４の全面をＰＴＦＥテープで覆っているのに対し、本発明の切断ユニットでは、前記ニクロム線４の表面を適当な間隔を置いてＰＴＦＥテープ９で複数個所被覆することにより、被覆個所と非被覆個所を交互に適当な長さで設けたことにある。これにより、挟持ローラー３ｂの周囲に高温で加熱する部分と、より低温で加熱する部分が交互に存在している。挟持ローラー３ｂは駆動モーター１０で駆動される。
本発明の切断ユニットは前記した特開平４−２５３６２６号公報、特願平４−１８８９３５号明細書に記載されているいづれの開梱機にも取付けてスパイラル巻きした非粘着性ストレッチフィルムの切断除去に用いて効果を奏する。
【００１２】
なお、挟持ローラーにおける被覆箇所と非被覆箇所の配置は共に複数で交互配置である以外、それぞれの箇所の幅（長さ）に特に制限はなく、前記したように、全体として断続的ではあるが、複数層の非粘着フィルムを確実にシールして接着することができる限り、適宜設定することができる。しかし、両者は略等間隔で配置されていることが望ましい。
【００１３】
【発明の効果】
本発明のストレッチ包装体の開梱機用切断ユニットは前記構成によって、ストレッチ包装体の周囲にスパイラル状に巻付けられたフィルムをその一側面で上下方向に切断する際、その切断線の両側でフィルムの巻数が多い部分（例えば３〜４層巻かれている部分）では、挟持ローラー上のヒーターが耐熱性プラスチックテープで被覆されている個所で加熱されても不完全にしか接着されない代りに非被覆個所が当接されれば概ね良好な接着が得られ、一方フィルムの巻数が少ない部分（例えば、１〜２層しか巻かれていない部分）では、前記非被覆個所で加熱されると、過熱されて穴があく代りに、被覆個所で加熱されると概ね良好な接着が得られ、全体として断続的ではあるが、複数層の非粘着フィルムを確実にヒートシールして接着することができる。
【００１４】
以上詳述したように、本発明によれば、非粘着性ストレッチフィルムでスパイラル式に包装したストレッチ包装体の一側面で該包装体に巻付けた複数層の非粘着性ストレッチフィルムを切断線の両側でヒートシール線全長にわたり良好かつ均一にシールできないとしても、被包装物から除去した使用済フィルムが支障なく収束して排出される程度に、少なくとも断続的に確実にヒートシールできるヒートシーラーを具えたストレッチ包装体の開梱機用切断ユニットを提供することができる。
【図面の簡単な説明】
【図１】本発明の一実施例のストレッチ包装体の開梱機用切断ユニットの側面図である。
【図２】図１の装置の平面図である。
【図３】従来の切断ユニットの側面図である。
【図４】図３の装置の平面図である。
【符号の説明】
１：フレーム、２：熱線ナイフ、３ａ，３ｂ：挟持ローラー、４：ニクロム線、５：フィルム、６ａ：挟持ローラーの凸部、６ｂ：凹部、７：スリップリング、８：給電子、９：耐熱性プラスチックテープ、１０：駆動モーター
【図１】
0003589490.tif 000002
【図２】
0003589490.tif 000003
【図３】
0003589490.tif 000004
【図４】
0003589490.tif 000005